(57)【要約】【課題】  従来の方法では、制御局が被制御局に動的に交代する状況での制御局へのユニキャスト送信、あるいは、ある固定的でない特定の機能を有する局に対するユニキャスト送信、または、他ネットワークの制御局に対するユニキャスト送信など、特定局にユニキャスト送信したいが、特定局の区別がつかなかったり、アドレスが分からないような状況があった。【解決手段】  論理ネットワークごとに唯一に設定されるネットワークＩＤを用いて論理ネットワークを特定し、フレームの宛先アドレスフィールドと、ネットワークＩＤフィールドを用いた送受信プロセスの取り決めを行うことで、制御局へのユニキャストフレーム送信、および前記フレームに対するユニキャスト応答を可能にする。または、機能を指定するフィールドを用い、論理ネットワーク内に唯一存在する機能局に対してのユニキャスト送信を可能にする。【選択図】  図５
2005252383.tif 000002
【特許請求の範囲】
【請求項１】
発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式。
【請求項２】
各論理ネットワーク内でユニークとなるネットワークＩＤを提供する局、またはサーバが存在し、各論理ネットワーク内で制御局の変更が生じても同一の前記ネットワークＩＤを使用する手段を有し、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式。
【請求項３】
局がメディアを利用する機会を、制御局（親局）の発信する特定のフレームによって制御するメディアアクセス制御方式であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式。
【請求項４】
各論理ネットワーク内でユニークとなるネットワークＩＤを提供する局、またはサーバが存在し、各論理ネットワーク内で制御局の変更が生じても同一の前記ネットワークＩＤを使用する手段を有し、制御局（親局）の発信する特定のフレームによって、ネットワークを制御するメディアアクセス制御方式であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式。
【請求項５】
局がメディアを利用する機会を、制御局（親局）の発信する特定のフレームによって制御するメディアアクセス制御方式であって、論理ネットワークを特定するネットワークＩＤを宛先アドレスとしてフレームを発行することで、前記ネットワークＩＤで区別されるネットワークの親局が前記フレームを受信して、前記親局宛のフレームであると認識するメディアアクセス制御方式。
【請求項６】
各論理ネットワーク内でユニークとなるネットワークＩＤを提供する局、またはサーバが存在し、各論理ネットワーク内で制御局の変更が生じても同一の前記ネットワークＩＤを使用する手段を有し、制御局（親局）の発信する特定のフレームによって、ネットワークを制御するメディアアクセス制御方式であって、論理ネットワークを特定するネットワークＩＤを宛先アドレスとしてフレームを発行することで、前記ネットワークＩＤで区別されるネットワークの親局が前記フレームを受信して、前記親局宛のフレームであると認識するメディアアクセス制御方式。
【請求項７】
発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局。
【請求項８】
各論理ネットワーク内でユニークとなるネットワークＩＤを提供する局、またはサーバが存在し、各論理ネットワーク内で制御局の変更が生じても同一の前記ネットワークＩＤを使用する手段を有し、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局。
【請求項９】
局がメディアを利用する機会を、制御局（親局）の発信する特定のフレームによって制御する局であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局。
【請求項１０】
各論理ネットワーク内でユニークとなるネットワークＩＤを提供する局、またはサーバが存在し、各論理ネットワーク内で制御局の変更が生じても同一の前記ネットワークＩＤを使用する手段を有し、制御局（親局）の発信する特定のフレームによって、ネットワークを制御する局であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局。
【請求項１１】
局がメディアを利用する機会を、制御局（親局）の発信する特定のフレームによって制御する局であって、論理ネットワークを特定するネットワークＩＤを宛先アドレスとしてフレームを発行することで、前記ネットワークＩＤで区別されるネットワークの親局が前記フレームを受信して、前記親局宛のフレームであると認識する局。
【請求項１２】
各論理ネットワーク内でユニークとなるネットワークＩＤを提供する局、またはサーバが存在し、各論理ネットワーク内で制御局の変更が生じても同一の前記ネットワークＩＤを使用する手段を有し、制御局（親局）の発信する特定のフレームによって、ネットワークを制御する局であって、論理ネットワークを特定するネットワークＩＤを宛先アドレスとしてフレームを発行することで、前記ネットワークＩＤで区別されるネットワークの親局が前記フレームを受信して、前記親局宛のフレームであると認識する局。
【発明の詳細な説明】
【技術分野】
【０００１】
本発明は、通信制御におけるメディアアクセス制御に関するものである。
【背景技術】
【０００２】
通信品質に問題のあるメディアを利用する通信システムは、効率的、かつ効果的なネットワークプロトコルを必要とする場合が多い。従来採用されてきたメディアアクセス制御技術の多くは、ネットワーク内の局を同等に扱い、メディアアクセスは個々の局がおのおの主体的に、局内で閉じたネットワークプロトコルに従うものであった。しかし、少しでもメディアを効率的に利用するために、ネットワーク上のある局を、その他の局のメディアアクセスを制御する制御局（親局）、その他の局を被制御局（子局）として主従関係をつくり、ネットワーク全体の効率化を図る集中制御型のネットワークプロトコルが開発されている。こうした集中制御型のネットワークプロトコルとして、ＩＥＥＥ  Ｓｔｄ  ８０２．１１がある。ＩＥＥＥ  Ｓｔｄ  ８０２．１１ではＢＳＳＩＤ（ネットワークＩＤ）フィールドを設け、論理ネットワークを識別するために使用している。集中制御型のプロトコルでは、制御局が多くのネットワーク内情報を保持しており、制御局との通信が可能であれば、その制御局が管理するネットワークに対しての通信が可能であるといえる。従来技術においては、制御局は固定的であるために、ネットワークに一旦参加した端末は、制御局を特定することができていた。また、被制御局は、異なるネットワークの制御局に対して、直接ユニキャスト通信を行う必要が無かった（非特許文献１参照）。
【０００３】
よって、何らかの原因で、制御局のアドレスが分からない場合、またはどの局が制御局であるか分からない場合に、局は制御局へ向けた発信ができなくなってしまう。
【非特許文献１】ザ  インスティテュート  オブ  エレクトリカル  アンド  エレクトロニクス  エンジニアズ、インク、アイトリプルイー  スタンダード  ８０２．１１．（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ，ＩＥＥＥ  Ｓｔａｎｄａｒｄ  ８０２．１１．）
【発明の開示】
【発明が解決しようとする課題】
【０００４】
しかしながら、制御局が他局へ動的に交代する状況での制御局へのユニキャスト送信、あるいは、ある固定的でない特定局に対してのユニキャスト送信、または、他ネットワークの制御局へのユニキャスト送信など、アドレスが分からないか区別がついていない状況でも、特定の機能を有する局に対して、ユニキャスト送信を行いたい場合がある。
【０００５】
本発明は、ネットワークＩＤを用いてネットワークを特定し、制御局など特定の局が識別できない、またはアドレスがわからなくても、前記ネットワークの特定の局に向けたユニキャストフレーム発信、および前記フレームに対するユニキャスト応答を行えるようにすることが目的である。
【課題を解決するための手段】
【０００６】
上記課題を解決するための、本特許出願に係る請求項１に記載の発明は、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式である。
【０００７】
上記課題を解決するための、本特許出願に係る請求項２に記載の発明は、各論理ネットワーク内でユニークとなるネットワークＩＤを提供する局、またはサーバが存在し、各論理ネットワーク内で制御局の変更が生じても同一の前記ネットワークＩＤを使用する手段を有し、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式である。
【０００８】
上記課題を解決するための、本特許出願に係る請求項３に記載の発明は、局がメディアを利用する機会を、制御局の発信する特定のフレームによって制御するメディアアクセス制御方式であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式である。
【０００９】
上記課題を解決するための、本特許出願に係る請求項４に記載の発明は、各論理ネットワーク内でユニークとなるネットワークＩＤを提供する局、またはサーバが存在し、各論理ネットワーク内で制御局の変更が生じても同一の前記ネットワークＩＤを使用する手段を有し、制御局の発信する特定のフレームによって、ネットワークを制御するメディアアクセス制御方式であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識するメディアアクセス制御方式である。
【００１０】
上記課題を解決するための、本特許出願に係る請求項５に記載の発明は、局がメディアを利用する機会を、制御局の発信する特定のフレームによって制御するメディアアクセス制御方式であって、論理ネットワークを特定するネットワークＩＤを宛先アドレスとしてフレームを発行することで、前記ネットワークＩＤで区別されるネットワークの制御局が前記フレームを受信して、前記制御局宛のフレームであると認識するメディアアクセス制御方式である。
【００１１】
上記課題を解決するための、本特許出願に係る請求項６に記載の発明は、各論理ネットワーク内でユニークとなるネットワークＩＤを提供する局、またはサーバが存在し、各論理ネットワーク内で制御局の変更が生じても同一の前記ネットワークＩＤを使用する手段を有し、制御局の発信する特定のフレームによって、ネットワークを制御するメディアアクセス制御方式であって、論理ネットワークを特定するネットワークＩＤを宛先アドレスとしてフレームを発行することで、前記ネットワークＩＤで区別されるネットワークの制御局が前記フレームを受信して、前記制御局宛のフレームであると認識するメディアアクセス制御方式である。
【００１２】
上記課題を解決するための、本特許出願に係る請求項７に記載の発明は、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局である。
【００１３】
上記課題を解決するための、本特許出願に係る請求項８に記載の発明は、各論理ネットワーク内でユニークとなるネットワークＩＤを提供する局、またはサーバが存在し、各論理ネットワーク内で制御局の変更が生じても同一の前記ネットワークＩＤを使用する手段を有し、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局である。
【００１４】
上記課題を解決するための、本特許出願に係る請求項９に記載の発明は、局がメディアを利用する機会を、制御局の発信する特定のフレームによって制御する局であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局である。
【００１５】
上記課題を解決するための、本特許出願に係る請求項１０に記載の発明は、各論理ネットワーク内でユニークとなるネットワークＩＤを提供する局、またはサーバが存在し、各論理ネットワーク内で制御局の変更が生じても同一の前記ネットワークＩＤを使用する手段を有し、制御局の発信する特定のフレームによって、ネットワークを制御する局であって、発信フレーム内に、論理ネットワークを特定するネットワークＩＤを指定することでネットワークを指定し、特定の機能に関する記載を設けることで、前記ネットワークＩＤで区別されるネットワークの前記機能に対応する局がフレームを受信して、前記機能に対応する局宛のフレームであると認識する局である。
【００１６】
上記課題を解決するための、本特許出願に係る請求項１１に記載の発明は、局がメディアを利用する機会を、制御局の発信する特定のフレームによって制御する局であって、論理ネットワークを特定するネットワークＩＤを宛先アドレスとしてフレームを発行することで、前記ネットワークＩＤで区別されるネットワークの制御局が前記フレームを受信して、前記制御局宛のフレームであると認識する局である。
【００１７】
上記課題を解決するための、本特許出願に係る請求項１２に記載の発明は、各論理ネットワーク内でユニークとなるネットワークＩＤを提供する局、またはサーバが存在し、各論理ネットワーク内で制御局の変更が生じても同一の前記ネットワークＩＤを使用する手段を有し、制御局の発信する特定のフレームによって、ネットワークを制御する局であって、論理ネットワークを特定するネットワークＩＤを宛先アドレスとしてフレームを発行することで、前記ネットワークＩＤで区別されるネットワークの制御局が前記フレームを受信して、前記制御局宛のフレームであると認識する局である。
【発明の効果】
【００１８】
ネットワークを識別する指標によってネットワークを特定し、制御局など、特定の局が識別できない、またはアドレスが分からなくても、ネットワークの特定局に対するユニキャストフレーム発信、およびそのフレームに対するユニキャスト応答フレームの発行を可能にする。また、隣接ネットワークの制御局に対して、隣接ネットワークのネットワークＩＤを知るいかなる局からでも通信が行えるため、干渉ネットワーク問題、および隣接チャネル干渉問題に対応する手段として、有効である
【発明を実施するための最良の形態】
【００１９】
以下に、本発明の実施の形態について、図面を参照しながら説明する。
【００２０】
（実施の形態１）
図１は、本発明の第一の実施の形態を示したもので、１００１はある制御局と制御局が制御下におくすべての局で構成されるひとつの通信システムであり、１００２〜１００５は１００１内の局を示している。１００２は局Ａで、局Ａは通信システム内で他の局のメディアアクセス機会を制御する信号を発信するコントローラ（制御局）、１００３は局Ｂ、１００４は局Ｃ、１００５は局Ｄとする。
【００２１】
制御局は、局の帯域予約要求に応じて通信システムで使用できる帯域資源を考慮し、帯域を割り当てるスケジューリング機能や、スケジューリングにより通信局間に占有させる開始時刻と時間、およびコンテンション期間の開始時刻などをシステム情報として、定期的にブロードキャストして発信する機能を有するものとする。つまり、通信システム内において、被制御局は制御局と制御情報をやりとりすることが非常に重要である。また制御局は、何らかの原因でダウンした場合、同じネットワーク内の他の局が制御局として機能することができるものとする。
【００２２】
通信システム１００１は、ネットワークを特定する指標、ネットワークＩＤを保持するものであり、このネットワークＩＤにより通信システム１００１は、唯一に識別されるものである。
【００２３】
図２に、通信システム１００１内で送受されるフレームのフォーマットを示す。２００１に示すフレームコントロールフィールドは、フレームヘッダ部にあたり、特に冗長な変調方式を用いて、通信システム１００１内すべての局が読み取ることのできるフィールドである。このフィールドの中に、２００３で示す前記ネットワークＩＤを記載するフィールドを含んでいる。このネットワークＩＤフィールドには、常にフレームを発信する局が所属するネットワークのネットワークＩＤを記載するものとする。
【００２４】
本実施例において、制御局はネットワークの通信品質を考慮して、通信システム１００１ネットワーク内の他の局と交代することがある。図１において、１００２が示す局Ａが制御局であるが、局Ａが何らかの原因でダウンし、１００４が示す局Ｃが制御局として起動したものとする。この制御局の「交代」を１００３が示す局Ｂ、および１００５が示す局Ｄが知らないものとすると、制御局のアドレスは、制御局が発信する何らかの制御フレームを受信するまで分からないことになる。そこで、制御局は、自分のアドレスを宛先としたフレームを受信した場合のみならず、自分がコントロールするネットワークＩＤを宛先アドレスとして指定された場合も、制御局宛のフレームを受信したものとして、このフレームを処理することを規定する。こうすることで、局Ｂおよび局Ｄは、制御局がどの局か分からなくても（つまり、現在制御局として稼動している局のアドレスを知らなくても）、２００４の示す宛先アドレスフィールドに通信システム１００１のネットワークＩＤを記載することで、直接制御局に向けたフレーム送信が可能となる。
【００２５】
なお、通信システムは、電灯線ネットワークでもよい。
【００２６】
（実施の形態２）
図３は、本発明における第二の実施の形態を示したもので、ふたつの隣接した通信システムが隣接している。３００１は通信システムＩを示し、３００３は通信システムＩ内の被制御局である局Ｅ、３００４は通信システムＩ内の制御局である局Ｆ、３００５は通信システムＩ内の被制御局である局Ｇである。また、３００２は、通信システムＩＩを示し、３００６は通信システムＩＩ内の制御局である局Ｘ、３００７は通信システムＩＩ内の被制御局である局Ｙである。各システム内で送受されるフレームのフォーマットは、図２に示すものとする。また、通信システムＩ、通信システムＩＩ内で用いられているネットワークＩＤは、それぞれＮＥＴＩＤ＿１、ＮＥＴＩＤ＿２とする。通信システムＩに属する局Ｅ、局Ｆ、局Ｇがフレームを発行するとき、前記フレームにおいてネットワークＩＤフィールド２００３にはＮＥＴＩＤ＿１が記載され、一方で通信システムＩＩに属する局Ｘ、局Ｙがフレームを発行するとき、前記フレームにおいてネットワークＩＤフィールド２００３にはＮＥＴＩＤ＿２が記載される。さらに、制御局は、自分のアドレスを宛先としたフレームを受信した場合のみならず、自分がコントロールするネットワークＩＤを宛先アドレスとして指定された場合も、制御局宛のフレームを受信したものとして、このフレームを処理することを規定する。
【００２７】
ここで、通信システムＩが、隣接する通信システムＩＩから干渉を受け、通信システムＩ内の局Ｇが干渉の情報を通信システムＩＩをコントロールする制御局局Ｘに通知し、また局Ｘから前記通知に対する応答が局Ｇに返されるプロセスを、図４に示す。
【００２８】
図４において、４００１は通信システムＩであり、通信システムＩ内における４００３は局Ｅ、４００４は局Ｆ、４００５は局Ｇを示す。また、４００２は通信システムＩＩであり、通信システムＩＩ内における４００６は局Ｘ、４００７は局Ｙを示す。
【００２９】
４００８は、通信システムＩＩ内の局Ｘから局Ｙへフレームが送付されるとき、通信システムＩ内の局Ｅおよび局Ｇがともにその干渉を受け、また４００９は局Ｙから局Ｘへのフレーム送付が、局Ｇに干渉を起こしたことを示している。これらの干渉は、各局が受信したフレームのネットワークＩＤをチェックすることで認識することができる。ここで、異なる通信システムからの干渉を受けた局Ｅ，および局Ｇは、送信元アドレスは記録していないが、発信元ネットワークＩＤは記録する。
【００３０】
干渉を受けた局Ｇは、干渉情報を、通信システムＩＩを制御する制御局局Ｘに向けて送付する。このとき、局Ｇはどの局が通信システムＩＩの制御局であるかを知らない（つまり、通信システムＩＩの制御局のアドレスを知らない）が、通信システムＩＩのネットワークＩＤがＮＥＴＩＤ＿２であるという情報は保持していることになる。ここで局Ｇから送付されるフレーム４０１０は、ネットワークＩＤフィールド２００３にはＮＥＴＩＤ＿１、宛先アドレスフィールド２００４にはＮＥＴＩＤ＿２、送信元アドレスフィールド２００５には局Ｇのアドレスが記載されて、発信される。制御局は、宛先アドレスフィールドに制御局自身のアドレスが記載されている場合に加えて、制御局が制御するネットワークＩＤが記載されている場合も前記制御局宛フレームとして処理するため、フレーム４０１０は局Ｘによって処理される。４０１０の送信元アドレスフィールドで、局Ｘは４０１０が局Ｇから送付されたものであることが分かるので、４０１０の応答フレーム４０１１においては、ネットワークＩＤフィールドはＮＥＴＩＤ＿１、宛先アドレスフィールドは局Ｇのアドレス、送信元アドレスフィールドは局Ｘのアドレスがそれぞれ記載されて送付される。フレーム４０１１を受信すると、局Ｇは通信システムＩＩの制御局が局Ｘであることを知る（つまり、通信システムＩＩの制御局のアドレスを知る）ことができたことになる。
【００３１】
ここで、４０１１はネットワークＩＤフィールドがＮＥＴＩＤ＿１を指定しているが、これは局ＧのアドレスがネットワークＩにおけるネットワークＩＤ、ＮＥＴＩＤ＿１と同一のものである可能性があるからである。もし、ＮＥＴＩＤ＿１が局Ｇのアドレスと一致しており、かつ４０１１のネットワークＩＤにＮＥＴＩＤ＿２を記載してしまうと、４０１１を受信する局は、現段階で制御局である局Ｆである。つまり、ネットワークＩＤフィールドは、必ずしも発信元局が属する通信システム（ネットワーク）のネットワークＩＤを記載するものではない。ここで、フレームを受信した際、前記受信フレームが自分宛のものかそうでないのか判断するプロセスを図５に示す。
【００３２】
フレームを検知した局は、まずネットワークＩＤフィールドの記載を参照する（５００１）。
【００３３】
ここで、５００１において自局が属するネットワークＩＤが記載されていれば、宛先フィールドを参照し（５００４）、自局アドレスと一致するものであれば、自局宛のユニキャストフレームであるとする（５００８）。そうでない場合、マルチキャスト、ブロードキャストであるかどうかを確認する。
【００３４】
５００１において、自局が属するネットワークＩＤが記載されていなければ、宛先フィールドに自ネットワークＩＤが記載されているかどうかを確認する（５００３）。ここで、宛先フィールドの記載が、自ネットワークであった場合、制御局へのユニキャストフレームである可能性がある。５００7で自局が制御局であった場合は、このフレームを自局へのユニキャストフレームとして受信する（５００８）。そうでなかった場合は、受信フレームを自局宛フレームとは認識しない。
【００３５】
なお、通信システムＩＩのネットワークＩＤ（ＮＥＴＩＤ＿２）が、通信システムＩＩに属する局Ｙのアドレスと一致するとした場合も、フレーム４０１０は、ネットワークＩＤフィールドの記載がＮＥＴＩＤ＿1であることを理由に、局Ｙ宛のフレームとは判断されず、フレーム４０１０の宛先は局Ｘであると判断される。
【００３６】
なお、通信システムは、電灯線ネットワークでもよい。
【００３７】
（実施の形態３）
図６は、本発明における第三の実施の形態を示したもので、二つの隣接した通信システムを表している。６００１は通信システムＩＩＩを示し、６００３は通信システムＩＩＩ内であり機能Ｐを持つ局Ｈ、６００４は通信システムＩＩＩ内であり機能Ｑを持つ局Ｉ、６００５は通信システムＩＩＩ内であって特別な機能を持っていない局Ｊである。また、６００２は通信システムＩＶを示し、６００６は通信システムＩＶ内であり機能Ｐおよび機能Ｑの両機能を持つ局Ｋ、６００７は通信システムＩＶ内で特別な機能を持たない局Ｌ、そして６００８は通信システムＩＶ内で特別な機能を持たない局Ｍである。また、通信システムＩＩＩ、通信システムＩＶで用いられるネットワークＩＤは、それぞれＮＥＴＩＤ＿３、ＮＥＴＩＤ＿４である。
【００３８】
これら通信システムないで送受されるフレームフォーマットは図２で示すものであり、フレームプロパティ情報フィールド２００６を詳細に描いたのが図７である。図７について、７００１は、宛先機能端末を記載する指定機能フィールド、７００２はフレームタイプフィールド、７００３はフレーム長フィールド、７００４はその他のオプション用フィールドである。ここで、機能Ｐ、および機能Ｑとは、ネットワーク内端末のメディアアクセスを制御する制御機能、ネットワーク参入端末の認証機能、暗号鍵の管理機能、ネットワークＩＤ管理機能などであってよい。また、フレームタイプフィールドであらわす情報が、指定機能フィールドと同等の意味を持ってもよい。
【００３９】
この通信システムには、ネットワークＩＤを唯一に定め、管理するネットワークＩＤ管理サーバが存在する。ここで、前記ネットワークＩＤ管理サーバが時間軸上で唯一に管理するネットワークＩＤをＮＥＴＩＤとする。また、ネットワークＩＤを用いて、新規通信システム参入局の認証、暗号鍵の管理をする機能を有する局も存在し、この機能をセキュリティマネージャと呼ぶことにする。ネットワークＩＤ管理サーバの機能プロセスを図８に示すものとする。
【００４０】
セキュリティマネージャとして稼動するためには、ネットワークＩＤ管理サーバに対しネットワークＩＤ発行要求を行い、前記ネットワークＩＤ発行要求を許可されなければならない。
【００４１】
起動直後のネットワークＩＤ管理サーバは、起動中８００９を始端とし、８０１１を終端とするループに入る。まずネットワークＩＤを無効なものとして確認する（８００１）。その後、ＮＥＴ＿ＴＩＭＥで規定されるタイマを設定し、８００２を始端、８０１０を終端とするタイマ満了待ちループに入り、ネットワークＩＤ発行要求の受付を開始する。セキュリティマネージャとして起動しようとした局により、ネットワークＩＤ発行要求が発信され、これをネットワークＩＤ管理サーバが受信する（８００３）と、既にネットワークＩＤの発行を許可したときに用いられたＮＥＴＩＤが、有効であると確認できている場合、前記ネットワークＩＤ発行要求を拒絶する（８００６）。一方、ＮＥＴＩＤが無効であると確認している場合、前記ネットワークＩＤ発行要求を許諾し（８００７）ネットワークIDの発行を許可する。なお、ＮＥＴＩＤ自体は、ネットワークＩＤ管理サーバが、局のアドレスとして用いられ得ない値を与えてもよいし、ネットワークＩＤ発行要求を発信してきた局のアドレスとしてもよく、また、ネットワークＩＤ管理サーバのアドレスでもよい。その後ＮＥＴＩＤの有効を確認して、８００２に戻りまたＮＥＴ＿ＴＩＭＥで設定されるタイマを起動し直す。
【００４２】
また、８００２と８０１０で示すループ内では、ＮＥＴＩＤが使用されているかどうかの確認も行う。ＮＥＴＩＤを付与したフレームが検知できれば、８００２に戻りまたＮＥＴ＿ＴＩＭＥで設定されるタイマを起動し直す。ＮＥＴＩＤを付与したフレームを検知できずに、ＮＥＴ＿ＴＩＭＥで設定されたタイマが満了すると、８０１１で示すループ終端に達し、８００９の始端に戻る。そして、８００１において、ＮＥＴＩＤの無効を確認する。このようなプロセスを経て、ネットワークＩＤ管理サーバは、前記ネットワークＩＤ管理サーバが管理する通信システムにおいて、同時に二つ以上のネットワークＩＤを有効にさせないという機能を果たす。
【００４３】
次に、指定機能フィールドは、指定する機能を持つ局を宛先とするものであり、宛先とする局のアドレスが分からなくても、ネットワークＩＤでネットワークを特定することで、ネットワーク内に唯一に存在する各機能を有する局に対してユニキャスト送信を可能とするものである。指定機能フィールドに記載する値は、各機能ＰおよびＱに対して図９のように規定するものとする。このフィールドを用いることで、機能Ｐもしくは機能Ｑを有する局のアドレスが分からなくても、ユニキャスト送信を可能にする。ただし、機能を持たない局Ｊ、局Ｌ、局Ｍへの送信は、アドレスを知らなければならない。
【００４４】
各局から、各局へのユニキャスト送信を行う場合の、指定機能フィールド（ＤＦＦ）、ネットワークＩＤフィールド（ＮＩＤ）、宛先アドレスフィールド（ＤＡ）、送信元アドレスフィールド（ＳＡ）に記載するべき値を、図１０に示す。図１０、図１１中の「ＤＦＦ」は、機能指定フィールド、「ＮＩＤ」はネットワークＩＤフィールド、「ＤＡ」は宛先アドレスフィールド、「ＳＡ」は送信元アドレスフィールド、「ＢＣ」は、ブロードキャストをあらわす。図１０を見て分かるように、特定の機能を有さない端末（局Ｊ、局Ｌ、局Ｍ）に対しては、前記特定の機能を有さない局にのアドレスが分からないとユニキャスト指定ができないが、特定の機能を有する端末（局Ｈ、局Ｉ、局Ｋ）に対しては、前記特定の機能を有する端末の属するネットワークＩＤさえ分かっているのであれば、ユニキャスト指定でフレームを送付することができる。
【００４５】
この方法でユニキャスト受信ができる各機能端末であるが、このユニキャストフレームに対して、送信元端末に応答をしてもよい。この際、応答フレームでの各アドレスフィールドの記載は図１１のようになる。なお、アドレス、およびネットワークＩＤは、それぞれ局、およびネットワークを識別できる指標であれば、何でもよい。
【００４６】
なお、通信システムは、電灯線ネットワークでもよい。
【産業上の利用可能性】
【００４７】
本発明によると、特に無線、電灯線、電力線、電話線、テレビアンテナ線、同軸ケーブルなどで検討されているホームネットワークの構築にあたり、ネットワーク接続機能を有する家電製品の通信モジュールとして用いられる際、通信システムの通信品質を保持または向上するために各機能モジュールが通信システム内で唯一の機能を持つことが考えられ、前記機能を持つ端末が判明できない、若しくはアドレスが分からないといった場合に、通信システムを区別する指標と、前記機能モジュールのみの情報で、前記機能モジュールを稼動している端末に対してユニキャストフレーム送信、および前記ユニキャストフレーム送信に対するユニキャスト応答を可能にすることができる。通信システムない通信品質の最適化を目的としてたプロセス、または、干渉ネットワーク問題や、隣接チャネル干渉問題を解決する手段の一部として用いられる可能性を有している。
【図面の簡単な説明】
【００４８】
【図１】実施の形態１のネットワーク構成を示す図
【図２】フレームフォーマットを示す図
【図３】実施の形態２のネットワーク構成を示す図
【図４】実施の形態２における干渉情報通知プロセスを示す図
【図５】フレーム受信時のプロセスを示す図
【図６】実施の形態３のネットワーク構成を示す図
【図７】実施の形態３におけるフレームプロパティ情報フィールドを示す図
【図８】ネットワークＩＤ管理サーバプロセスを示す図
【図９】機能情報フィールドの記載を示す図
【図１０】宛先機能端末に対するユニキャストのネットワークＩＤとアドレス指定を示す図
【図１１】応答フレームでの各アドレスフィールドの記載を示す図
【符号の説明】
【００４９】
１００１  通信システム
１００２  局Ａ（制御局）
１００３  局Ｂ
１００４  局Ｃ
１００５  局Ｄ
２００１  フレームコントロール
２００２  データボディ
２００３  ネットワークＩＤフィールド
２００４  宛先アドレスフィールド
２００５  送信元アドレスフィールド
２００６  フレームプロパティ情報フィールド
２００７  フレームチェックシーケンスフィールド
３００１  通信システムＩ
３００２  通信システムＩＩ
３００３  局Ｅ（通信システムＩ内の被制御局）
３００４  局Ｆ（通信システムＩ内の制御局）
３００５  局Ｇ（通信システムＩ内の被制御局）
３００６  局Ｘ（通信システムＩＩ内の制御局）
３００７  局Ｙ（通信システムＩＩ内の被制御局）
４００１  通信システムＩ
４００２  通信システムＩＩ
４００３  局Ｅ
４００４  局Ｆ
４００５  局Ｇ
４００６  局Ｘ
４００７  局Ｙ
４００８  局Ｘから局Ｙへのフレーム送信が局Ｅおよび局Ｇへ与える干渉
４００９  局Ｙから局Ｘへのフレーム送信が局Ｇへ与える干渉
４０１０  局Ｇから通信システムＩＩの制御局に向けた干渉情報通知フレーム
４０１１  局Ｘから局Ｇに向けた干渉情報通知応答フレーム
５００１  受信フレームネットワークＩＤを参照
５００２  自ネットワークＩＤと一致するかどうかの分岐
５００３  宛先フィールドを参照
５００４  宛先フィールドを参照
５００５  宛先フィールドが自ネットワークＩＤを一致するかどうかの分岐
５００６  宛先フィールドが自分のアドレスかどうかの分岐
５００７  自局が制御局かどうかの分岐
５００８  自局宛ユニキャストフレームとして受信
５００９  宛先フィールドの記載がマルチキャストアドレスで自局を含むかの分岐
５０１０  宛先フィールドの記載がブロードキャストアドレスかどうかの分岐
５０１１  自分宛マルチキャストフレームとして受信
５０１２  自分宛ブロードキャストフレームとして受信
５０１３  自分宛フレームとは認識しない
６００１  通信システムＩＩＩ
６００２  通信システムＩＶ
６００３  局Ｈ（通信システムＩＩＩ内で機能Ｐを有する局）
６００４  局Ｉ（通信システムＩＩＩ内で機能Ｑを有する局）
６００５  局Ｊ（通信システムＩＩＩ内の局）
６００６  局Ｋ（通信システムＩＶ内の機能Ｐおよび機能Ｑを併せ持つ局）
６００７  局Ｌ（通信システムＩＶ内の局）
６００８  局Ｍ（通信システムＩＶ内の局）
７００１  指定機能フィールド
７００２  フレームタイプフィールド
７００３  フレーム長フィールド
７００４  オプションフィールド
８００１  ＮＥＴＩＤの無効を確認
８００２  タイマＮＥＴ＿ＴＩＭＥの満了待ちループ始端
８００３  ネットワークＩＤ発行要求を受信したかどうかの分岐
８００４  自機能が発行したＮＥＴＩＤが使用されたフレームを確認したかの分岐
８００５  ＮＥＴＩＤが無効であると確認しているかの分岐
８００６  ネットワークＩＤ発行要求を拒絶
８００７  ネットワークＩＤの発行を許諾
８００８  ＮＥＴＩＤが有効であると確認
８００９  ネットワークＩＤ管理サーバの起動中ループ始端
８０１０  ８００２を始端とするループの終端
８０１１  ８００９を始端とするループの終端
【図１】
2005252383.tif 000003
【図２】
2005252383.tif 000004
【図３】
2005252383.tif 000005
【図４】
2005252383.tif 000006
【図５】
2005252383.tif 000007
【図６】
2005252383.tif 000008
【図７】
2005252383.tif 000009
【図８】
2005252383.tif 000010
【図９】
2005252383.tif 000011
【図１０】
2005252383.tif 000012
【図１１】
2005252383.tif 000013